(57)【要約】【課題】バレーボールのスパイク練習の際に装着して、スパイクする利き手の手首が背屈しないように手と腕を真っすぐ伸ばした状態で手のひら上部のミートポイントでボールを殴打するスパイク技術を習得することができる手首用サポーターを提供する。【解決手段】手の甲から前腕の先端部にまで及ぶ手首背面側の面を覆うように配置するパッド１に、該パッドを手指に掛け止めるための指掛けベルト２と、パッド１を前腕の先端部に締め止めるためのストラップベルト３とが取り付けられ、パット１の表地と裏地との間に、手首の背屈を阻止する剛直プレートからなる剛性芯材４が内包されている。【選択図】図２
2017122287.tif 000002
【特許請求の範囲】
【請求項１】
手首を固定する手首用サポーターにおいて、手の甲から手首の背面を経て前腕の先端部にまで及ぶ手首背面側の面を覆うように配置するパッドに、該パッドを手指に掛け止めるための指掛けベルトと、パッドを前腕の先端部に締め止めるためのストラップベルトとが取り付けられ、パットの外側の表地と肌側の裏地との間に、手首の背屈を阻止する剛直なプレートからなる剛性芯材が内包されていることを特徴とする手首用サポーター。
【請求項２】
前記剛性芯材が、前記パッドの表面側から裏面側に向かって該パッドの幅方向に３００ｍｍ前後の曲率半径で湾曲した硬質プラスチック製のプレートからなる請求項１記載の手首用サポーター。
【請求項３】
前記パッドの裏面に、該パッドを前腕の先端部に仮止めするための伸縮性リストバンドが取り付けられている請求項１又は２記載の手首用サポーター。
【請求項４】
前記ストラップベルトが、該ベルトを前腕の先端部に巻き付けたときに重なり合う表面と裏面に面ファスナーの雌面と雄面が配された非伸縮性ベルトからなる請求項１、２又は３記載の手首用サポーター。
【請求項５】
前記パッドの表地と裏地が、柔軟性を有する生地からなり、その表地と裏地の一部によって、前記ストラップベルトの下側に重なるように当てて前腕の先端部に巻き付ける下当て用のタブベルトが前記パッドと一体的に形成されている請求項１、２、３又は４記載の手首用サポーター。
【請求項６】
前記パッドと前記タブベルトの周縁部が、その周縁部を補強するヘム布で縁取りされている請求項５記載の手首用サポーター。
【請求項７】
前記指掛けベルトが、親指の根元に掛ける第一のループ状ベルトと、人差し指・中指・薬指の３指の根元に一括的に掛ける第二のループ状ベルトとからなる請求項１、２、３、４、５又は６記載の手首用サポーター。
【発明の詳細な説明】
【技術分野】
【０００１】
本発明は、手首を固定する手首用サポーターに係り、特に、バレーボールのスパイク技術習得・上達のための練習に有用な手首用サポーターに関する。
【背景技術】
【０００２】
バレーボールは、コートの床上でジャンプしてボールを勢いよくスパイク（アタック）し、相手チームが打った強烈なスパイクをブロックし、レシーブする激しいスポーツであることから、重さ２６０〜２８０ｇのボールを強く殴打するスパイク練習によって手首関節や肘関節を痛めたり、スパイクやブロックをするためにジャンプして着地した際に、膝関節や足首関節を脱臼、捻挫したり、膝や足首の靭帯を損傷したり、身を挺してスパイクをレシーブする際に、肘や膝をコートの床に打ち当てて打撲や擦過傷、裂傷を負ったり、スパイクレシーブやアンダーハンドパスの反復練習によってボールが打ち当たる手首や前腕部に皮下出血や紫斑、浮腫等を生じたりすることがある。
【０００３】
このようなバレーボールによる負傷・損傷等を防止するために、手首や前腕部、肘、膝、足首などを被覆・固定するバレーボール用の各種サポーターが市販されているが、バレーボール技術の習得・上達のために使用するサポーターは見当たらない。
【０００４】
バレーボールのスパイクは、腕と手を一本の棒のように真っ直ぐ伸ばしてスイングし、ボールのミートポイントとなる手のひら上部の指の付け根部分でボールの中心を捉えるように打つのが好ましいとされており、そうすることで、腕のスイングが速くなると同時に、ボールに手のひらが当たった瞬間に手首が勝手に掌屈して、手のひらがボールに巻き付きながらボールを勢いよく弾き飛ばすので、鋭くてキレのある強烈なスパイクを打つことができる。
【０００５】
しかるに、手首のスナップを利かせて強いスパイクを打とうとして、ボールを打つ瞬間に手首を背屈させると、その瞬間に腕のスイング速度が低下して、スイングが弱くなり、却って強いスパイクを打つことができない。すなわち、ボールを打つ瞬間に手首を背屈―掌屈させるスナップ動作をしてスパイクする場合は、スナップ動作をせずに、ボールを打つ瞬間まで腕と手を一本の棒のように真っ直ぐ伸ばしてスパイクする場合に比べて、腕のスイング速度が遅くなり、スイングが弱くなるから、強烈で破壊力のあるスパイクを打つことができないという実証結果が報告されている。
【０００６】
また、スパイクする手のひらがボールに当たったときの衝撃で、その手のひらがボールに押されて手首が背屈状態となる場合も、手のひらでボールを勢いよく弾き飛ばすことができず、強烈で破壊力のあるスパイクを打つことができない。
【０００７】
そこで、スイングする腕と手を真っ直ぐ伸ばして手首を背屈させずにスパイクする技術・習慣を身に付けるために、手首の背屈を阻止し得るような手首用サポーターを着用してスパイク練習することが望ましいが、そのサポーターは、手のひらがボールに当たった瞬間に手首が掌屈して手のひらでボールを勢いよく弾き飛ばすことができるものでなければならないから、手首の掌屈までも阻止するものであってはならない。
【０００８】
しかし、手首の掌屈を妨げることなく、手首の背屈のみを阻止し得るようなバレーボールのスパイク練習に好適な手首用サポーターは、市販されていない。また、図８に示す従来公知の手首用サポーター８１は、同図（ａ）の如く右手８６の手の甲と手のひら（掌）を覆う覆設部８２ａと、同図（ｂ）、（ｃ）の手順で手首に捲回する捲回部８２ｂとからなるナイロン、ポリウレタン等の合成繊維生地製の帯状体と、帯状体の捲回部８２ｂの裏面側中央部に固着された手首半周分の長さと５ｍｍ程度の厚さを有する衝撃吸収性に優れた方形の軟質ウレタンフォームからなる副木８３とによって手首を固定することにより、手首に加わる衝撃等の負担を軽減する手首用サポーターであって（特許文献１参照）、帯状体の覆設部８２ａの端部には親指８６ａを挿し通す孔が形成され、帯状体の捲回部８２ｂの端部にはその捲回部８２ｂを手首に巻いて締め止めるための面ファスナー８４が固着された構造となっているが、手首を固定する副木８３は、柔軟性を有した軟質ウレタンフォームからなるものであるから、バレーボールのスパイクを打つ際の手首の背屈を確実に阻止し得るような剛性・強度は有しない。
【０００９】
また、図８（ｃ）の如く、ナイロン、ポリウレタン等の合成繊維生地からなる帯状体の捲回部８２ｂと、その捲回部８２ｂの裏面側中央部に固着された軟質ウレタンフォームからなる副木８３とを手首に捲回して、手首を固定すると、スパイクを打つときに手首が掌屈しにくくなるから、手のひらでボールを勢いよく弾き飛ばすことができず、強烈で破壊力のあるスパイクを打つことができない。そのうえ、帯状体の覆設部８２ａによって手のひらが覆われるため、手のひら上部のミートポイントでボールを弾き飛ばすスパイク感覚を身に付けにくい。
【００１０】
したがって、図８の如き手首用サポーター８１は、バレーボールのスパイクやブロックをする際に受ける衝撃から手首を保護する効果は得られるとしても、バレーボールのスパイク技術の習得・上達に資するものではない。
【先行技術文献】
【特許文献】
【００１１】
【特許文献１】特開２０１０−２６５５５６号公報
【発明の概要】
【発明が解決しようとする課題】
【００１２】
本発明は、バレーボールのスパイク練習の際にスパイクする利き手の手首を背屈させずに手と腕を一本の棒のように真っすぐ伸ばした状態でボールを殴打することができる手首用サポーターを提供することを主たる技術的課題としている。
【課題を解決するための手段】
【００１３】
上記課題を解決するために、本発明は、手首を固定する手首用サポーターにおいて、手の甲から手首の背面を経て前腕の先端部にまで及ぶ手首背面側の面を覆うように配置するパッドに、該パッドを手指に掛け止めるための指掛けベルトと、パッドを前腕の先端部に締め止めるためのストラップベルトとが取り付けられ、パットの外側の表地と肌側の裏地との間に、手首の背屈を阻止する剛直なプレートからなる剛性芯材が内包されていることを特徴とする。
【発明の効果】
【００１４】
本発明に係る手首用サポーターをバレーボールのスパイクを打つ利き手に装着すると、その利き手の手首背面側の面を覆うパッドの表地と裏地との間に内包された剛直なプレートからなる剛性芯材によって手首の背屈が阻止されるから、スイングする腕と手を一本の棒のように真っ直ぐ伸ばした状態でボールをスパイクする反復練習を行って、強烈で破壊力のあるスパイクを打つ技術を習得することが可能となる。
【図面の簡単な説明】
【００１５】
【図１】本発明の実施例に係る手首用サポーターの表面図。
【図２】実施例に係る手首用サポーターの裏面図。
【図３】実施例に係る手首用サポーターのパッドに内包する剛性芯材の横断面図。
【図４】実施例に係る手首用サポーターの装着方法を示す裏面図。
【図５】実施例に係る手首用サポーターの装着状態を示す表面図。
【図６】実施例に係る手首用サポーターの装着状態を示す裏面図。
【図７】実施例に係る手首用サポーターの使用状態を示す側面図。
【図８】従来公知の手首用サポーターとその装着手順及び装着状態を示す図。
【発明を実施するための形態】
【００１６】
本発明の実施形態に係る手首用サポーターは、バレーボールのスパイク練習の際にボールを殴打する利き手の手首が背屈しないようにするため、手の甲から手首の背面を経て前腕の先端部にまで及ぶ手首背面側の面を覆うように配置するパッドに、該パッドを手指に掛け止めるための指掛けベルトと、パッドを前腕の先端部に締め止めるためのストラップベルトとが取り付けられ、パットの外側の表地と肌側の裏地との間に、手首の背屈を阻止する剛直なプレートからなる剛性芯材が内包されている。
【００１７】
剛性芯材は、その厚さが薄くとも手首の背屈を阻止し得るに十分な剛性・強度が得られるようにするため、パッドの表面側から裏面側に向かって該パッドの幅方向に３００ｍｍ前後の曲率半径で湾曲した硬質プラスチック製のプレートで形成されている。
【００１８】
また、バレーボールのスパイクを打つ利き手の手首背面側に利き手ではない片手を使って手首用サポーターを容易に且つ迅速に装着することができるようにするため、パッドの裏面には、該パッドを利き手の前腕先端部に簡単に仮止めできるようにするための伸縮性リストバンドが取り付けられている。
【００１９】
パッドを前腕先端部に締め止めるためのストラップベルトは、これを前腕先端部に巻き付けたときに重なり合う表面側と裏面側に面ファスナーの雌面と雄面が配された非伸縮性ベルトからなり、該ベルトでパッドを前腕先端部に締め止める際に肌を傷めたり、圧痛を生じたりしないようにするため、ストラップベルトの下側に重なるように当てて前腕先端部に巻き付ける下当て用のタブベルトが、柔軟性を有した生地からなるパッドの表地と裏地の一部によってパッドと一体的に形成されている。また、パッドとタブベルトの周縁部は、その周縁部を補強すると同時に周縁部の縁飾りともなるヘム布で縁取りされている。
【００２０】
パッドを利き手の手指に掛け止めるための指掛けベルトは、親指の根元に掛ける第一のループ状ベルトと、人差し指・中指・薬指の３指の根元に一括的に掛ける第二のループ状ベルトとからなり、これら２本のベルトによって、パッドの上部側が、小指を除く４指に固定されると同時に、その４指の根元が、ボールをスパイクする際のミートポイントとなる手のひら上部よりも前方に倒れ出ないように拘束される。
【実施例】
【００２１】
図１〜図７に示す実施例の手首用サポーターＳは、専らバレーボールのスパイク練習に使用するもので、スパイクを打つ利き手（右手）の手の甲から手首の背面を経て前腕先端部にまで及ぶ手首背面側の面を覆うように配置するパッド１に、該パッド１を手指に掛け止めるための指掛けベルト２と、パッド１を前腕先端部に締め止めるためのストラップベルト３とが取り付けられ、パット１の外側の表地１ａと肌側の裏地１ｂとの間に、図２破線図示の如く、手首の背屈を阻止する剛性芯材４が内包されている。
【００２２】
剛性芯材４は、方形の塩化ビニル製プレート又はアクリル製プレート等の硬質プラスチック製プレートをパッド１の表面側から裏面側に向かって該パッド１の幅方向に図３の如く３０１．４ｍｍの曲率半径で湾曲させた厚さ２ｍｍの剛直なプレートで形成されている。
【００２３】
指掛けベルト２は、親指の根元に掛ける第一のループ状ベルト２ａと、人差し指・中指・薬指の３指の根元に一括的に掛ける第二のループ状ベルト２ｂとからなり、これらベルト２ａ、２ｂは、その基端部がパッド１の表面側に固着されている。
【００２４】
ストラップベルト３は、前腕の先端部に巻き付けたときに重なり合う表面側３ａと裏面側３ｂに面ファスナーの雌面と雄面が配されたナイロン繊維製の非伸縮性ベルトで形成されており、その片端側が、パッド１の表面に取り付けられたプラスチック製の角型リングからなるベルト引締め用バックル５に固定され、自由端となる他端側を前腕先端部に巻き付てからバックル５に差し通して折り返し、その折り返した他端側を引っ張って巻締めた状態として表面側３ａと裏面側３ｂを面ファスナーで接着することにより、パッド１を前腕先端部に締め止めるようになっている。
【００２５】
パッド１は、剛性芯材４を包み込む表地１ａと裏地１ｂが、ナイロン・ポリエステル・ポリウレタンの繊維層３層をラミネートした通気性と柔軟性を有する生地からなり、その表地１ａと裏地１ｂの一部によって、ストラップベルト３の下側に重なるように当てて前腕先端部に巻き付ける下当て用のタブベルト６が形成されると共に、該タブベルト６とパッド１の周縁部が、その周縁部を補強するヘム布７によって縁取りされている。
【００２６】
また、パッド１の裏面には、該パッド１を図４（ａ）の如く利き手の手首背面側に当てるように配置させて前腕先端部に仮止めするための平ゴム（ゴム入りの細巾織物・編物）からなる伸縮性リストバンド８が取り付けられており、このリストバンド８に手を通してパッド１を前腕先端部に仮止めすることにより、同図（ｂ）の如くパッド１に設けられたタブベルト６とストラップベルト３を前腕先端部に巻き付けて、ストラップベルト３でパッドを前腕先端部に締め止める動作を、利き手ではない片手のみで容易に且つ迅速に行うことができる。
【００２７】
以上のように構成された手首用サポーターＳを利き手に装着すると、剛性芯材４を内包したパッド１によって手首の背屈が阻止されるから、図７（ａ）の如く腕と手を一本の棒のように真っ直ぐ伸ばしてボールを殴打するスパイク練習を反復して行うことができ、ボールを殴打すると、その瞬間に同図（ｂ）の如く手首が掌屈して手のひらでボールを勢いよく弾き飛ばすことができるから、強烈で破壊力のあるスパイクを打つ技術を習得することが可能となる。
【００２８】
また、手首用サポーターＳは、パッド１の表面側から親指の根元に掛けるループ状ベルト２ａと、同じくパッド１の表面側から人差し指・中指・薬指の３指の根元に一括的に掛けるループ状ベルト２ｂとからなる指掛けベルト２によって、小指を除く４指の根元（指の基節骨がある部分）が、ボールをスパイクする際のミートポイントとなる手のひら上部よりも前方に倒れ出ないように拘束されるから、ボールを手のひら上部に当てて勢いよく弾き飛ばすことができると同時に、ボールを打つ手のひらの表面を覆うものがないから、ミートポイントとなる手のひら上部でボールを殴打するスパイク感覚を会得しやすいという利点がある。
【００２９】
また、パッド１の表地１ａと裏地１ｂとの間に内包された剛性芯材４は、パッド１の表面側から裏面側に向かって該パッド１の幅方向に湾曲した硬質プラスチック製のプレートで形成されることにより、そのプレートの厚さが薄くても、パッド１の長さ方向の曲げ応力に対する強度が強く、ボールを殴打したときの衝撃で手首が背屈することを確実に阻止することができるから、サポーターＳの軽量化とコスト低減にも資する。
【符号の説明】
【００３０】
Ｓ…手首用サポーター
１…パッド
１ａ…パッドの表地
１ｂ…パッドの裏地
２…指掛けベルト
２ａ…第一のループ状ベルト
２ｂ…第二のループ状ベルト
３…ストラップベルト
３ａ…ストラップベルトの表面側
３ｂ…ストラップベルトの裏面側
４…剛性芯材
５…ベルト引締め用バックル
６…下当て用のタブベルト
７…ヘム布
８…伸縮性リストバンド
【図１】
2017122287.tif 000003
【図２】
2017122287.tif 000004
【図３】
2017122287.tif 000005
【図４】
2017122287.tif 000006
【図５】
2017122287.tif 000007
【図６】
2017122287.tif 000008
【図７】
2017122287.tif 000009
【図８】
2017122287.tif 000010